(57)【特許請求の範囲】
【請求項１】
内容液が充填される充填空間を備える薄肉容器と、該薄肉容器の口部に保持されるシリンダーと該シリンダー内を摺動するピストンに連結するノズルヘッドとを有し、該ノズルヘッドの押下げと復元を繰り返すことによって該充填空間の内容液を注出させるディスペンサーと、該薄肉容器の底部に取り付けられるホルダーとを備え、
前記薄肉容器は、前記底部において、前記充填空間から外側に向かって突出する外向き凸部或いは該充填空間に向かって内側に突出する内向き凸部を備え、
前記ディスペンサーは、前記充填空間に対して開口する内容液導入口を有するとともに、前記シリンダーから前記底部に向けて延在して前記外向き凸部或いは前記内向き凸部に対して該充填空間側から嵌まり込むパイプを備え、
前記ホルダーは、前記外向き凸部或いは前記内向き凸部に対して前記薄肉容器の外側から嵌まり込む環状壁を有し、
前記薄肉容器は、前記パイプに設けた第一係合部に引っ掛かって抜け止めされる第一被係合部、及び前記ホルダーに設けた第二係合部に引っ掛かって抜け止めされる第二被係合部として機能する突起を有するディスペンサー付き薄肉容器。
【請求項２】
内容液が充填される充填空間を備える薄肉容器と、該薄肉容器の口部に保持されるシリンダーと該シリンダー内を摺動するピストンに連結するノズルヘッドとを有し、該ノズルヘッドの押下げと復元を繰り返すことによって該充填空間の内容液を注出させるディスペンサーと、該薄肉容器の底部に取り付けられるホルダーとを備え、
前記薄肉容器は、前記底部において、前記充填空間から外側に向かって突出する外向き凸部或いは該充填空間に向かって内側に突出する内向き凸部を備え、
前記ディスペンサーは、前記充填空間に対して開口する内容液導入口を有するとともに、前記シリンダーから前記底部に向けて延在して前記外向き凸部或いは前記内向き凸部に対して該充填空間側から嵌まり込むパイプを備え、
前記ホルダーは、前記外向き凸部或いは前記内向き凸部に対して前記薄肉容器の外側から嵌まり込む環状壁を有し、
前記パイプは、前記シリンダーを取り囲む外筒と、該外筒から径方向外側に向かって延在するパイプフランジを有し、前記シリンダーは、径方向外側に向かって延在して前記口部との間で該パイプフランジを挟持するシリンダーフランジを有するディスペンサー付き薄肉容器。
【請求項３】
前記薄肉容器は、前記底部に連結する胴部を有し、前記ホルダーは、該胴部を取り囲む縁壁を有する請求項１又は２に記載のディスペンサー付き薄肉容器。
【発明の詳細な説明】
【技術分野】
【０００１】
本発明は、例えば省資源化、軽量化を目的とする薄肉容器と、この薄肉容器に取り付けられて薄肉容器に充填した内容液を注出させるディスペンサーを備えるディスペンサー付き薄肉容器に関する。
【背景技術】
【０００２】
例えばシャンプーやリンス、液体石鹸、化粧料等を充填する容器にあっては、充填した内容液を簡単に注出させるべく、容器の口部にディスペンサーを取り付けたディスペンサー付き容器が既知である（例えば特許文献１参照）。
【先行技術文献】
【特許文献】
【０００３】
【特許文献１】特開２００８−１８９３１７号公報
【発明の概要】
【発明が解決しようとする課題】
【０００４】
ところで近年は、環境への負荷を低減するとともにコストを下げるために、容器に用いられる樹脂量の削減が求められている。このため、容器の肉厚を薄くする検討がなされているが、そのためにはノズルヘッドを押下した場合の力にも耐えられることが必要である。例えば、ノズルヘッドの押下力は、吐出量が３ｇのディスペンサーでは３０Ｎ以上となる。しかし、特許文献１の容器で用いられるような従来の材質では、胴部の肉厚が１ｍｍを下回るとノズルヘッドの押下力によって容器が座屈することがあり、スムーズな注出が困難となっていた。
【０００５】
本発明は、このような問題点を解決することを課題とするものであり、肉厚が薄くてもノズルヘッドの押下力によって容器が座屈することがなく、内容液をスムーズに注出することができるディスペンサー付き薄肉容器を提案する。
【課題を解決するための手段】
【０００６】
本発明は、内容液が充填される充填空間を備える薄肉容器と、該薄肉容器の口部に保持されるシリンダーと該シリンダー内を摺動するピストンに連結するノズルヘッドとを有し、該ノズルヘッドの押下げと復元を繰り返すことによって該充填空間の内容液を注出させるディスペンサーと、該薄肉容器の底部に取り付けられるホルダーとを備え、
前記薄肉容器は、前記底部において、前記充填空間から外側に向かって突出する外向き凸部或いは該充填空間に向かって内側に突出する内向き凸部を備え、
前記ディスペンサーは、前記充填空間に対して開口する内容液導入口を有するとともに、前記シリンダーから前記底部に向けて延在して前記外向き凸部或いは前記内向き凸部に対して該充填空間側から嵌まり込むパイプを備え、
前記ホルダーは、前記外向き凸部或いは前記内向き凸部に対して前記薄肉容器の外側から嵌まり込む環状壁を有し、
前記薄肉容器は、前記パイプに設けた第一係合部に引っ掛かって抜け止めされる第一被係合部、及び前記ホルダーに設けた第二係合部に引っ掛かって抜け止めされる第二被係合部として機能する突起を有するディスペンサー付き薄肉容器である。
【０００８】
また本発明は、内容液が充填される充填空間を備える薄肉容器と、該薄肉容器の口部に保持されるシリンダーと該シリンダー内を摺動するピストンに連結するノズルヘッドとを有し、該ノズルヘッドの押下げと復元を繰り返すことによって該充填空間の内容液を注出させるディスペンサーと、該薄肉容器の底部に取り付けられるホルダーとを備え、
前記薄肉容器は、前記底部において、前記充填空間から外側に向かって突出する外向き凸部或いは該充填空間に向かって内側に突出する内向き凸部を備え、
前記ディスペンサーは、前記充填空間に対して開口する内容液導入口を有するとともに、前記シリンダーから前記底部に向けて延在して前記外向き凸部或いは前記内向き凸部に対して該充填空間側から嵌まり込むパイプを備え、
前記ホルダーは、前記外向き凸部或いは前記内向き凸部に対して前記薄肉容器の外側から嵌まり込む環状壁を有し、
前記パイプは、前記シリンダーを取り囲む外筒と、該外筒から径方向外側に向かって延在するパイプフランジを有し、前記シリンダーは、径方向外側に向かって延在して前記口部との間で該パイプフランジを挟持するシリンダーフランジを有するディスペンサー付き薄肉容器でもある。
【０００９】
前記薄肉容器は、前記底部に連結する胴部を有し、前記ホルダーは、該胴部を取り囲む縁壁を有することが好ましい。
【発明の効果】
【００１０】
本発明のディスペンサー付き薄肉容器において、薄肉容器は、底部において外向き凸部或いは内向き凸部を備え、薄肉容器の口部に保持されるディスペンサーは、シリンダーから底部に向けて延在して外向き凸部或いは内向き凸部に対して充填空間側から嵌まり込むパイプを備え、ホルダーは、外向き凸部或いは内向き凸に対して薄肉容器の外側から嵌まり込む環状壁を備えている。すなわち、パイプとホルダーで薄肉容器の底部を挟み込むことができるので、薄肉容器の口部と底部は、ディスペンサーのシリンダーとパイプによって支持されることになる。更に、シリンダーとパイプは、ホルダーによって支持されるため、ディスペンサーのノズルヘッドに加えられる押下力は、ホルダーに対して直接的に加わることになる。これにより、ノズルヘッドを押下げても薄肉容器が潰れることがないので、内容液をスムーズに注出することができる。
【００１１】
薄肉容器に、パイプに設けた第一係合部に引っ掛かって抜け止めされる第一被係合部と、ホルダーに設けた第二係合部に引っ掛かって抜け止めされる第二被係合部とを設ける場合は、薄肉容器からパイプとホルダーが外れ難くなる。すなわち、薄肉容器を持ち運んでもパイプ及びホルダーは薄肉容器に保持されているので、場所を変えて使用する場合でも安定的に取り扱うことができる。
【００１２】
パイプに、シリンダーを取り囲む外筒と、外筒から径方向外側に向かって延在するパイプフランジとを設け、シリンダーに、径方向外側に向かって延在して口部との間でパイプフランジを挟持するシリンダーフランジを設ける場合は、シリンダーとパイプとの組み合わせで口部と底部とが支持されるうえ、単一の部材（パイプ）でもこれらが支持されることになる。これにより、薄肉容器が更に潰れにくくなる。
【００１３】
薄肉容器の胴部に対し、ホルダーに、この胴部を取り囲む縁壁を設ける場合は、薄肉容器を横倒しさせる力が加わっても、この縁壁で薄肉容器の胴部を支えることができるので、容器の横倒れを有効に防止することができる。
【図面の簡単な説明】
【００１４】
【図１】本発明に従うディスペンサー付き薄肉容器の第一実施形態を示す、側面視での半断面図である。
【図２】図１に示す薄肉容器の底部周辺を示す拡大図である。
【図３】本発明に従うディスペンサー付き薄肉容器の第二実施形態を示す、側面視での半断面図である。
【図４】（ａ）は図３に示すＡ−Ａに沿う断面図であり、（ｂ）は図３に示すＢ−Ｂに沿う断面図である。
【図５】図３に示す薄肉容器の底部周辺を示す拡大図である。
【発明を実施するための形態】
【００１５】
以下、図面を参照して、本発明に従うディスペンサー付き薄肉容器の一実施形態について説明する。なお、本明細書における上下の関係は、薄肉容器を正立姿勢にした際の位置関係をいう（図１において、ノズルヘッドが位置する側が「上」であり、ホルダーが位置する側が「下」である）。
【００１６】
図１において符号１は、本発明に従うディスペンサー付き薄肉容器の第一実施形態を示す。ディスペンサー付き薄肉容器１は、薄肉容器２と、ディスペンサー３と、ホルダー４とで構成されている。
【００１７】
薄肉容器２は、外周面に雄ねじ部２ａを備える円筒状の口部２ｂと、口部２ｂから下方に向かって拡径する肩部２ｃと、肩部２ｃから略同一の直径で下方に向けて延在する円筒状の胴部２ｄと、胴部２ｄの下端で連結する底部２ｅとを備えている。本実施形態では、肩部２ｃ、胴部２ｄ、及び底部２ｅが薄肉状に形成されている。また、口部２ｂ、肩部２ｃ、胴部２ｄ、及び底部２ｅで取り囲まれる内側には、内容液が充填される充填空間Ｍが形成される。また底部２ｅは、上方へ向かって湾曲していて、その中央部には、充填空間Ｍから外側に向かって突出する外向き凸部２ｆが設けられている。更に外向き凸部２ｆは、図２に示すように、径方向外側に向かって突出する突起２ｇが設けられている。なお突起２ｇは、後述するように第一被係合部としても第二被係合部としても機能する。このような形態になる薄肉容器２は、例えばＰＥＴ（ポリエチレンテレフタレート）、ＰＥ（ポリエチレン）、ＰＰ（ポリプロピレン）等の合成樹脂材料を加熱熔融させてチューブ状に押し出し、金型で挟み、内部に空気を吹き込んで中空品を成形するＥＢＭ成形（Ｅｘｔｒｕｓｉｏｎ  Ｂｌｏｗ  Ｍｏｕｌｄｉｎｇ／押出ブロー成形法）により形成することができる。
【００１８】
ディスペンサー３は、口部２ｂに保持される筒状のシリンダー５を備えている。シリンダー５の外周面には、径方向外側に向かって延在するフランジ（シリンダーフランジ）５ａが設けられている。またシリンダー５には、シリンダー内部に空気を取り込む貫通孔５ｂが設けられている。
【００１９】
シリンダー５の上部には、装着キャップ６が設けられている。装着キャップ６には、雄ねじ部２ａに適合する雌ねじ部６ａが設けられていて、両者を螺合させることで、シリンダー５を口部２ｂに保持することができる。ここで、フランジ５ａと口部２ｂとの間には、パッキン７が設けられていて、装着キャップ６を螺合させることで、フランジ５ａと口部２ｂとを液密に保持する。また、装着キャップ６の上方には、未使用状態において後述するノズルヘッドを螺合保持する補助キャップ８が設けられている。
【００２０】
シリンダー５の下部には、円筒状のパイプ９が嵌合保持されている。パイプ９の下方には、トラック状になる貫通孔（内容液導入口）９ａが設けられている。またパイプ９の下端は、外向き凸部２ｆに対して充填空間Ｍ側から嵌まり込んでいる。更に、図２に示すようにパイプ９の下端には、突起２ｇに入り込んで引っ掛かることで、外向き凸部２ｆに対してパイプ９を抜け止めする凸部（第一係合部）９ｂが設けられている。すなわち、突起２ｇは、凸部（第一係合部）９ｂに係合する第一被係合部として機能する。
【００２１】
シリンダー５の内部には、ディスペンサー３の構成部材として、図１に示すようにパイプ９の上方に設けられた３点弁の如き逆止弁１０と、逆止弁１０の上方に設けられたスプリング保持部材１１と、スプリング保持部材１１に保持されるスプリング１２と、スプリング１２によって上方に付勢されるとともにシリンダー５の内周面に対して液密且つ摺動可能に当接するピストン１３と、ピストン１３に一体に連結する筒状のステム１４と、ステム１４内に設けられたボール弁１５とが設けられている。またステム１４には、ノズルヘッド１６が嵌合保持されている。このような構成になるディスペンサー３によれば、ノズルヘッド１６の押下げと復元を繰り返すことによって、充填空間Ｍの内容液をシリンダー５に吸い上げて、ノズルヘッド１６から注出させることができる。
【００２２】
そして、薄肉容器２の底部２ｅに対してその下方には、ホルダー４が設けられている。ホルダー４は、板状のホルダー本体４ａと、ホルダー本体４ａの中央部において上方へ向けて延在する環状壁４ｂが設けられている。ホルダー本体４ａは、上方へ向かって湾曲する底部２ｅをフラットな面で覆っていて、薄肉容器２の自立を補助する機能を有するため、薄肉容器２を安定的に自立させることができる。本実施形態の環状壁４ｂは、外向き凸部２ｆに対して薄肉容器２の外側から嵌まり込み、パイプ９との間で外向き凸部２ｆを挟み込んでいる。また、図２に示すように環状壁４ｂの内周面には、外向き凸部２ｆに設けた突起２ｇに引っ掛かり、環状壁４ｂに対して外向き凸部２ｆを抜け止めする凸部（第二係合部）４ｃが設けられている。すなわち突起２ｇは、凸部（第二係合部）４ｃに係合する第二被係合部として機能する。
【００２３】
このような構成になるディスペンサー付き薄肉容器１によれば、口部２ｂと外向き凸部２ｆは、シリンダー５とパイプ９によって連結され、これらによって支持されることになる。すなわち、薄肉容器２の剛性は、中心軸線Ｏに沿う向きは勿論のこと、中心軸線Ｏに対して直交する向きにも高められることになる。更に、シリンダー５とパイプ９は、ホルダー４によって支持されるため、ノズルヘッド１６に加えられる押下力は、ホルダー４に対して直接的に加わることになる。これにより、ノズルヘッド１６を押し下げても薄肉容器２の潰れが有効に防止されるため、肉厚が薄い薄肉容器２であっても内容液をスムーズに注出することができる。
【００２４】
また本実施形態のディスペンサー付き薄肉容器１では、パイプ９に設けた凸部（第一係合部）９ｂとホルダー４の凸部（第二係合部）４ｃは、共に薄肉容器２の突起（第一被係合部、第二被係合部）２ｇに引っ掛かって抜け止めされるため、パイプ９とホルダー４は薄肉容器２から外れ難くなる。すなわち、薄肉容器１を持ち運んでもパイプ９及びホルダー４は薄肉容器２に保持されているので、場所を変えて使用する場合でも安定的に取り扱うことができる。
【００２５】
次に、本発明に従うディスペンサー付き薄肉容器の第二実施形態について、図３〜図５を参照しながら説明する。なお、前述の実施形態と同一の機能を有する部分については、図面に同一の符号を付して説明を省略する。
【００２６】
図３において符号２１は、本発明に従うディスペンサー付き薄肉容器の第二実施形態を示す。ディスペンサー付き薄肉容器２１は、薄肉容器２２と、ディスペンサー２３と、ホルダー２４とで構成されている。
【００２７】
薄肉容器２２は、先に説明した薄肉容器２に対して形状は異なるものの、機能は同一となる雄ねじ部２２ａ、口部２２ｂ、肩部２２ｃ、胴部２２ｄ、底部２２ｅ、及び充填空間Ｍを備えている。また、前述の外向き凸部２ｆに代えて、充填空間Ｍに向かって内側に突出する内向き凸部２２ｆを備えている。
【００２８】
ディスペンサー２３は、先に説明したディスペンサー３からパッキン７を省略し、またパイプ９に代えてパイプ２９を設けたものである。パイプ２９は、円筒状のパイプ本体２９ａの上部がシリンダー５に嵌合保持されている。また図４（ａ）に示すようにパイプ本体２９ａの周囲には、周方向に等間隔で設けられる補強リブ２９ｂが設けられている。そして図３に示すようにパイプ本体２９ａの下部には、パイプ本体２９ａよりも直径が大きい大径部２９ｃが設けられていて、大径部２９ｃは内向き凸部２２ｆに対して充填空間Ｍ側から嵌まり込んでいる。なお、図４（ｂ）及び図５に示すように大径部２９ｃの内周面には、部分的に径方向外側に突出する凸部２９ｄが設けられていて、内向き凸部２２ｆと凸部２９ｄとの間に形成される隙間ｔは、充填空間Ｍの内容液がパイプ本体２９ａに送給される内容液導入口となっている。また、図３に示すようにパイプ本体２９ａには、シリンダー５を取り囲む外筒２９ｅが一体に連結している。外筒２９ｅの上部には、径方向外側に向かって延在するフランジ（パイプフランジ）２９ｆが設けられている。フランジ２９ｆは、装着キャップ６を口部２２ｂに螺合させた際、シリンダー５に設けたフランジ５ａと口部２２ｂに挟持される。また外筒２９ｅには、シリンダー５に設けた貫通孔５ｂに連通する貫通孔２９ｇが設けられている。
【００２９】
ホルダー２４は、板状のホルダー本体２４ａと、ホルダー本体２４ａの中央部から上方へ向けて延在する環状壁２４ｂと、環状壁２４ｂの上部に設けられる頂壁２４ｂ１を備えている。またホルダー本体２４ａの径方向外側には、湾曲しながら上方へ向かうとともに胴部２２ｄの下方を取り囲む縁壁２４ｃが設けられている。また縁壁２４ｃの湾曲部分には、ホルダー本体２４ａの下面に揃う環状の脚壁２４ｄが設けられている。
【００３０】
このような構成になるディスペンサー付き薄肉容器２１によれば、口部２２ｂと内向き凸部２２ｆは、シリンダー５とパイプ２９によって連結され、これらによって支持されることになる。更にパイプ２９には外筒２９ｅ及びフランジ２９ｆが設けられているので、パイプ２９単独でも口部２２ｂと内向き凸部２２ｆとが連結されることになる。これにより、口部２２ｂと底部２２ｅとが更に高い剛性で支持されることになるので、薄肉容器２２がより潰れにくくなる。
【００３１】
また、ホルダー２４には胴部２２ｄを取り囲む縁壁２４ｃを設けているので、ノズルヘッド１６を斜め方向に押し込んで薄肉容器２２を横倒しさせる力が加わっても、この縁壁２４ｃで胴部２２ｄを支えて横倒しを有効に防止することができる。また、ホルダー本体２４ａの径方向外側に脚壁２４ｄを設けているので、横倒しが更に有効に防止できる。
【００３２】
本発明のディスペンサー付き薄肉容器は、これまでに述べた実施形態に限定されるものではなく、種々の変更を含むものである。例えば薄肉容器は、図示したものはボトル型であったがこの形状に限定されるものではない。またディスペンサーの構成も、上述したものに限定されず、既に知られた種々のタイプを採用することができる。また図２に示す薄肉容器２の突起２ｇは、パイプ９に設けた凸部（第一係合部）９ｂとホルダー４の凸部（第二係合部）４ｃの両方に引っ掛かるものであって、一つで第一被係合部としても第二被係合部としても機能するものであるが、このような突起を二つ設けてそれぞれが凸部（第一係合部）９ｂと凸部（第二係合部）４ｃに引っ掛かるようにしてもよい。また、ホルダー２４に設けた縁壁２４ｃを省略することも可能である。
【符号の説明】
【００３３】
１、２１：ディスペンサー付き薄肉容器
２、２２：薄肉容器
２ａ、２２ａ：雄ねじ部
２ｂ、２２ｂ：口部
２ｃ、２２ｃ：肩部
２ｄ、２２ｄ：胴部
２ｅ、２２ｅ：底部
２ｆ：外向き凸部
２２ｆ：内向き凸部
２ｇ：突起（第一被係合部、第二被係合部）
３、２３：ディスペンサー
４、２４：ホルダー
４ａ、２４ａ：ホルダー本体
４ｂ、２４ｂ：環状壁
４ｃ：凸部（第二係合部）
２４ｂ１：頂壁
２４ｃ：縁壁
２４ｄ：脚壁
５：シリンダー
５ａ：フランジ（シリンダーフランジ）
５ｂ：貫通孔
６：装着キャップ
６ａ：雌ねじ部
７：パッキン
８：補助キャップ
９：パイプ
９ａ：貫通孔（内容液導入口）
９ｂ：凸部（第一係合部）
１０：逆止弁
１１：スプリング保持部材
１２：スプリング
１３：ピストン
１４：ステム
１５：ボール弁
１６：ノズルヘッド
２９：パイプ
２９ａ：パイプ本体
２９ｂ：補強リブ
２９ｃ：大径部
２９ｄ：凸部
２９ｅ：外筒
２９ｆ：フランジ（パイプフランジ）
２９ｇ：貫通孔
Ｍ：充填空間
Ｏ：中心軸線
ｔ：隙間（内容液導入口）
【図１】
0006660765.tif 000002
【図２】
0006660765.tif 000003
【図３】
0006660765.tif 000004
【図４】
0006660765.tif 000005
【図５】
0006660765.tif 000006